(57)【要約】【課題】キャリーバッグを手に提げたり抱えたりすることなくかつキャリーバッグに衝撃を与えることなく階段等の段差部分の昇り降りを行うことのできるキャリーバッグを提供することを目的とする。【解決手段】  キャリーバッグ本体１と、操舵用ハンドル２と、走行用車輪３、３とを備えたキャリーバッグである。キャリーバッグ本体１の後部より前部が浅くなる傾斜状底壁11を備え、該傾斜状底壁11の外面に、階段等の端部を滑動する摩擦軽減用滑り板部５、５が設けられている。キャリーバッグ本体１の背面下部に、階段等の段差部分の立ち上がり壁を転動可能な補助輪４、４が設けられている。階段の昇りには補助輪４が階段の立ちがり壁を転動する。階段の降りには、キャリーバッグ本体１の摩擦軽減用滑り板部５、５が階段角部を滑動する。【選択図】図１
2008168772.tif 000002
【特許請求の範囲】
【請求項１】
キャリーバッグ本体と、操舵用ハンドルと、走行用車輪とを備えたキャリーバッグにおいて、
キャリーバッグ本体の背面下部の階段１段分の高さより低い位置に、階段の段差部分の立ち上がり壁を転動可能な補助輪を備えることを特徴とするキャリーバッグ。
【請求項２】
キャリーバッグ本体と、操舵用ハンドルと、走行用車輪とを備えたキャリーバッグにおいて、
キャリーバッグ本体がその後部より前部が浅くなる傾斜状底壁を備え、該傾斜状底壁の外面に、階段の端角部を滑動する摩擦軽減用滑り板部を備えることを特徴とするキャリーバッグ。
【請求項３】
請求項２のキャリーバッグにおいて、キャリーバッグ本体の背面下部の階段１段分の高さより低い位置に、階段の段差部分の立ち上がり壁を転動可能な補助輪が設けられているキャリーバッグ。
【発明の詳細な説明】
【技術分野】
【０００１】
本発明は、買い物時や旅行時に用いられ、平面上を転動させて運ぶことのできるキャリーバッグに関する。
【背景技術】
【０００２】
一般にこの種のキャリーバッグは、キャリーバッグ本体と、操舵用ハンドルと、走行用車輪とを備え、キャリーバッグを提げ持ったり抱えたりすることなく運ぶことができるので便利である（特許文献１など参照）。
【０００３】
【特許文献１】特開平１１−２０４０２号公報（図１）
【０００４】
特に、キャリーバッグ本体に収納した荷物の重量が重くなればなるほどキャリーバッグの効果が十二分に発揮されることになる。
【０００５】
ところが、従来のキャリーバッグは、平面上を走行用車輪を転動させる場合は使い勝手が良いが、階段の段差部分においては、キャリーバッグを手に提げ持ったり、抱えたりしながら階段等を昇り降りしなければならない。
【０００６】
そもそも、このようなキャリーバッグを使用するのは、キャリーバッグ本体に重い荷物が収納されているからであり、そのような重い荷物を持っての階段の昇り降りはいささか辛いものがある。
【０００７】
もっとも、キャリーバッグ本体を階段にこすりつけながら階段を昇ったり、キャリーバッグを一段一段衝撃を与えながら階段を降りたりすることにより、荷物を収納したキャリーバグの重さを感じることなく使用することもできるが、このような使用法は、キャリーバッグに損傷を与えかねないので、あまり好ましい使用法ではない。
【発明の開示】
【発明が解決しようとする課題】
【０００８】
本発明は、上述の事情に鑑みてなされたもので、キャリーバッグを手に提げたり抱えたりすることなく、且つ又キャリーバッグに衝撃を与えることなく階段等の段差部分の昇り降りを行うことのできるキャリーバッグを提供することを目的とする。
【課題を解決するための手段】
【０００９】
上記目的を達成するために、請求項１の発明に係るキャリーバッグは、キャリーバッグ本体と、操舵用ハンドルと、走行用車輪とを備えたキャリーバッグにおいて、キャリーバッグ本体の背面下部の階段１段分の高さより低い位置に、階段の段差部分の立ち上がり壁を転動可能な補助輪が設けられている構成を採用する。
【００１０】
請求項２の発明に係るキャリーバッグは、キャリーバッグ本体と、操舵用ハンドルと、走行用車輪とを備えたキャリーバッグにおいて、キャリーバッグ本体がその後部より前部が浅くなる傾斜状底壁を備え、該傾斜状底壁の外面に、階段の端角部を滑動する摩擦軽減用滑り板部が設けられている構成を採用する。
【００１１】
請求項３の発明に係るキャリーバッグは、請求項２の構成に加えて、キャリーバッグ本体の背面下部の階段１段分の高さより低い位置に、階段の段差部分の立ち上がり壁を転動可能な補助輪が設けられている構成を採用する。
【発明の効果】
【００１２】
請求項１の発明に係るキャリーバッグは、キャリーバッグ本体の背面下部の階段１段分の高さより低い位置に、階段の段差部分の立ち上がり壁を転動可能な補助輪が設けられているので、階段の段差部分を昇る際に、補助輪を段差部分の立ち上がり壁部に押しつけるようにしながらキャリーバッグを上方に移動させることができる。
【００１３】
キャリーバッグ及びそれに収納された荷物の荷重が補助輪を介して階段の段差部分に分散されるので、これをそのまま宙に浮かすようにして持ち上げながら階段の段差部分を昇る場合に比べると、遙かに小さな力でキャリーバッグを段差部分上方に運び上げることができる。
【００１４】
請求項２の発明に係るキャリーバッグは、キャリーバッグ本体がその後部より前部が浅くなる傾斜状底壁を備え、該傾斜状底壁の外面に、階段の端角部を滑動する摩擦軽減用滑り板部が設けられているので、階段の段差部分を降りる際に、キャリーバッグを少し傾けて下方に向かって前進させることにより、摩擦軽減用滑り板を段差部分上角部を滑らせるようにしながら、キャリーバッグを下方に移動させることができる。
【００１５】
キャリーバッグ及びそれに収納された荷物の荷重が摩擦軽減用滑り板を介して階段の段差部分に分散されるので、これをそのまま宙に浮かすようにして持ち上げながら階段の段差部分を降りる場合に比べると、遙かに小さな力で段差部分下方にキャリーバッグを運ぶことができる。
【００１６】
また、キャリーバッグに与える衝撃も可及的小さくなり、かつ摩擦軽減用滑り板がキャリーバッグ本体底壁外面に設けられているので、キャリーバッグ本体底壁の損傷も防止でき耐久性に優れている。
【００１７】
請求項３の発明に係るキャリーバッグは、請求項２の構成に加えて、キャリーバッグ本体の背面下部に、階段の段差部分の立ち上がり壁を転動可能な補助輪が設けられているので、請求項１の発明と請求項２の発明とが奏する両方の効果を奏する。
【発明を実施するための最良の形態】
【００１８】
以下、本発明に係るキャリーバッグの実施形態について、図面を参照して具体的に説明する。図１はキャリーバッグの側面図、図２は同正面図、図３は同底面図である。
【００１９】
キャリーバッグ（Ａ）は、キャリーバッグ本体（１）と、キャリーバッグ本体（１）の背面部に取付けられた操舵用ハンドル（２）と、キャリーバッグ本体（１）の底面部に取付けられた左右一対の走行用車輪（３）（３）とを備えている。
【００２０】
キャリーバッグ本体（１）は、詳細な説明は省略するが、上面開口或いは正面開口に開閉自在な蓋体が設けられており、該蓋体を開閉することによってキャリーバッグ本体（１）に収納した荷物の出し入れが行われる。なお、蓋体はとくにこのような態様に限定されるものではない。
【００２１】
キャリーバッグ本体（１）の底壁（11）は、後端部を除いてキャリーバッグ本体（１）の後部より前部が浅くなる傾斜状に形成されており、左右一対の走行用車輪（３）（３）は底壁（11）の後端部外面に取付けられている。傾斜状底壁（11）の後端部を除く傾斜状外面には、階段の端角部を滑動する左右一対の摩擦軽減用滑り板部（５）（５）が取付けられている。摩擦軽減用滑り板部（５）の材質は、特に限定されないが、耐磨耗性、耐久性を考慮すると鉄、ステンレス、アルミ等の金属製あるいは合成樹脂板であることが好ましく、この実施形態においては鉄板が用いられている。
【００２２】
傾斜状底壁（11）の傾斜角度、すなわち水平面と底壁とがなす角度θは、この実施形態においては、約４５度に設定されているが、この角度が大きくなりすぎるとキャリーバッグ本体（１）の容量が減少し、角度が小さくなりすぎると容量は増大するが階段が降り難くなるので、３０〜６０度くらいに設定されていることが好ましい。
【００２３】
底壁（11）の傾斜外面には又、滑り板部（５）（５）の間に位置してストッパー(12)が設けられている。ストッパー(12)は、キャリーバッグ（Ａ）を動かさない静置状態のときに、そのキャリーバッグ（Ａ）が前へ転倒するのを防止する支えであり、キャリーバッグ本体（１）の底壁（11）の前部にその前部を支点に回動可能に取付けられている。そして、キャリーバッグ（Ａ）の静置時は底壁（11）の前部から真下に延出する状態となってキャリーバッグ（Ａ）を支え、キャリーバッグ（Ａ）を運搬するときは、その運搬、特に滑動の障害にならないように底壁（11）の傾斜に沿って滑り板部（５）（５）の間に畳み込まれる。
【００２４】
操舵用ハンドル（２）は、キャリーバッグ本体（１）内から上方に突出するように設けられている。この操舵用ハンドル（２）は、キャリーバッグ本体背面外方に取り付けられていたり、あるいは伸縮自在となっていたりしても良い。
【００２５】
キャリーバッグ本体（１）の背面下部には、階段の段差部分の立ち上がり壁を転動可能な左右一対の補助輪（４）（４）が設けられている。この補助輪（４）は、走行用車輪（３）（３）のようにキャリーバッグ（Ａ）の全荷重が掛けられるものではないので、走行用車輪（３）（３）よりも耐荷重の小さなもので足りる。また、方向を代える必要がないので、走行用車輪（３）（３）に使用されるようなキャスターは不要である。補助輪（４）（４）の高さＨは、階段一段部の高さｈ（図４参照）より低く設定されている。
【００２６】
上記構成を有するキャリーバッグ（Ａ）は、上記説明からも理解されるように、平面上を移動させる場合は、従来のキャリーバッグと同様に、走行用車輪（３）（３）を接地させた状態で操舵用ハンドル（２）を把持して、キャリーバッグ（Ａ）を曳くなり押すなりして移動させるものである。このとき、ストッパー(12)は、キャリーバッグ（Ａ）の移動の障害とならないように、底壁（11）の傾斜に沿って滑り板部（５）（５）の間に畳み込まれる。このストッパー(12)は伸縮式などでもよく、要はバッグ静置時に前への転倒を防止でき、バッグ運搬時にその障害とならなければよく、特にその構成を限定するものではない。
【００２７】
階段等の段差部分を昇る場合は、図４に示すように、キャリーバック本体（Ａ）の背面を階段（Ｋ）の立ち上がり壁（Ｋ１）すなわち蹴込み板部に向け、補助輪（４）（４）を立ち上がり壁（Ｋ１）に押しつけながら、キャリーバッグ（Ａ）を上方に持ち上げる。その持ち上げは、ほぼ垂直に持ち上げなければならないが、補助輪（４）が立ち上がり壁（Ｋ１）上端部に近づいてくると、図４に矢印方向に僅かに斜めに傾けることにより、キャリーバッグ本体（１）の階段への接触を極めて僅かなものとすることができる。また、キャリーバッグ（Ａ）及びそれに収納された荷物の荷重が補助輪（４）（４）を介して階段の段差部分（蹴込み板部）に分散されるので、補助輪（４）（４）により、上方に引き上げる力も小さくなる。
【００２８】
いずれにせよ、従来のようにキャリーバッグを宙に持ち上げるようにしながら、階段を昇ることに比較すると遙かに階段が昇りやすくなる。補助輪（４）（４）は走行用車輪（３）（３）から独立した別ものであるため、走行用車輪（３）（３）の機能を犠牲にしないし、走行用車輪（３）（３）による機能上、構成上の犠牲を強いられることもない。このため、使用性が非常に良好である。
【００２９】
また、階段の段差部分を降りる場合は、図５に示すように、キャリーバッグ本体（１）背面を進行方向に向けて、走行用車輪（３）を階段の下段に降ろすように押し進める。走行用車輪（３）が階段上角部を通過して下降した後は、傾斜状底壁（11）の滑り板（５）（５）を階段上角部を滑らせるようにしながら、キャリーバッグ（Ａ）を下降させ、傾斜状底壁（11）が下段の階段段部に下降すれば、先ほどと同様の操作を行うことにより、階段をスムーズに降りて行くことができる。
【００３０】
このような降り方によると、キャリーバッグを手に提げたり抱えたりすることなくかつキャリーバッグに衝撃を与えることなく階段等の段差部分を降ろすことができる。
【図面の簡単な説明】
【００３１】
【図１】本発明の実施形態に係るキャリーバッグの側面図である。
【図２】同正面図である。
【図３】同概略断面図である。
【図４】階段等の段差部分を昇る場合の概略説明図である。
【図５】階段等の段差部分を降りる場合の概略説明図である。
【符号の説明】
【００３２】
Ａ  キャリーバッグ
１  キャリーバッグ本体
２  操舵用ハンドル
３  走行用車輪
４  補助輪
５  摩擦軽減用滑り板
11  傾斜状底壁
12  ストッパー
【図１】
2008168772.tif 000003
【図２】
2008168772.tif 000004
【図３】
2008168772.tif 000005
【図４】
2008168772.tif 000006
【図５】
2008168772.tif 000007